(57)【要約】【課題】紙材を使用した梱包箱であって、開口面のフラップに被梱包物を視認可能とする開口窓を設けることで、包装材料の削滅、内容物の梱包箱外部からの確認、開口窓に手を掛けての運搬等を容易とする。【解決手段】梱包箱５の開口面Ａのフラップ５ａ，５ｂ，５ｃ，５ｄに被梱包物である照明器具１を視認可能とする開口窓Ｂを設ける。これにより、包装材料の削滅、内容物の梱包箱外部からの確認、開口窓Ｂに手を掛けての運搬等を容易とした。【選択図】図１
2005153930.tif 000002
【特許請求の範囲】
【請求項１】
被梱包物を収納するための開口面をフラップで覆って閉止する紙製の梱包箱において、
前記フラップが閉じられたときに内部に収納された被梱包物を外部から視認可能にする開口窓が形成されるようにしたことを特徴とする梱包箱。
【請求項２】
前記開口窓を略透明部材で覆ったことを特徴とする請求項１記載の梱包箱。
【請求項３】
前記開口面を立方体の梱包箱の面の中で面積の少ない側面に形成したことを特徴とする請求項１記載の梱包箱。
【請求項４】
前記開口窓を、被梱包物のカバー面に対応する位置に形成したことを特徴とする請求項１記載の梱包箱。
【請求項５】
被梱包物の周囲にパッドが装着され、このパッドは前記開口窓に対応する位置に被梱包物を視認可能にする切り欠き部を持つことを特徴とする請求項１記載の梱包箱。
【請求項６】
前記略透明部材は内フラップの外面と外フラップの内面との間に介在させたことを特徴とする請求項２記載の梱包箱。
【発明の詳細な説明】
【技術分野】
【０００１】
本発明は、照明器具その他の器具を運搬・保管のために梱包する梱包箱に関するものである。
【背景技術】
【０００２】
従来から、段ボール等の紙材を使用した梱包箱は、被梱包物を収納するため、略立方体の箱の６面全てを覆うのが一般的である。図７に従来例を示す。梱包箱５の一つの側面に被梱包物１を収納するための開口があり、その開口はフラップ５ａ，５ｂ，５ｃ，５ｄにより塞ぐようになっている。このような梱包箱５では、梱包物を箱の外部から視認することはできない。そこで、この種梱包箱において、箱内に収納された被梱包物を外部から見えるように、シースルー包装構造とすることが知られている（例えば、特許文献１参照）。
【０００３】
ところが、このような従来のシースルー包装構造は、梱包される被梱包物が、例えば、照明器具であるような場合、照明器具が躯体に施工された後は、背面側となって見えない部分がシースルー面に配置されており、施工後に見える部分が梱包状態で見えるようにするとの発想はない。
【特許文献１】特開２００３−１９２０３５号公報
【発明の開示】
【発明が解決しようとする課題】
【０００４】
本発明は、前記事例に鑑みて成されたものであり、段ボール等の紙材を使用した梱包箱であって、開口面のフラップに被梱包物を視認可能とする開口窓を設けることで、包装材料の削滅、内容物の梱包箱外部からの確認、開口窓に手を掛けての運搬等を容易とした梱包箱を提供することを目的とする。
【課題を解決するための手段】
【０００５】
請求項１の発明は、被梱包物を収納するための開口面をフラップで覆って閉止する紙製の梱包箱において、前記フラップが閉じられたときに内部に収納された被梱包物を外部から視認可能にする開口窓が形成されるようにしたものである。
請求項２の発明は、請求項１記載の梱包箱において、前記開口窓を略透明部材で覆ったことを特徴とする。
請求項３の発明は、請求項１記載の梱包箱において、前記開口面を立方体の梱包箱の面の中で面積の少ない側面に形成したことを特徴とする。
請求項４の発明は、請求項１記載の梱包箱において、前記開口窓を、被梱包物のカバー面に対応する位置に形成したことを特徴とする。
請求項５の発明は、請求項１記載の梱包箱において、収納された被梱包物の周囲にパッドが設けられ、このパッドは前記開口窓に対応する位置に被梱包物を視認可能にする切り欠き部を持つことを特徴とする。
請求項６の発明は、請求項２記載の梱包箱において、前記略透明部材は内フラップの外面と外フラップの内面との間に介在させたことを特徴とする。
【発明の効果】
【０００６】
請求項１の発明によれば、開口面のフラップに被梱包物を視認可能とする開口窓を設けることで、包装材料の削滅、内容物の梱包箱外部からの確認、開口窓に手を掛けての運搬等が容易となる。包装材料の削減効果については、例えば、直径７０ｃｍ、高さ２５ｃｍ程度の照明器具の梱包箱の場合、側面部のフラップに開口窓を設けると、２０％以上の紙材を削滅することが期待出来る。
請求項２の発明によれば、上記の効果に加えて、開口窓から異物、塵埃が侵入することを防止できる。
請求項３の発明によれば、上記の効果に加えて、梱包箱の強度が低下することが少なくなり、段積みされる場合に有効となる。
請求項４の発明によれば、上記の効果に加えて、被梱包物のデザイン等を視認でき、内容物の確認が容易となる。
請求項５の発明によれば、上記の効果に加えて、梱包箱内のパッドにより強度が一層高まり、段積み時に有効となる。
請求項６の発明によれば、略透明部材の設置が容易かつ確実である。
【発明を実施するための最良の形態】
【０００７】
図１は、本発明の第１の実施形態に係る被梱包物と梱包箱を、図２に、梱包状態の梱包箱を示す。被梱包物である照明器具１は、ランプを備えた本体部２と、照明器具の施工後に見える面であるカバー３とからなる。これらを一体で収納する梱包箱５は、少なくとも１つの面に被梱包物出し入れのための開口面Ａを有している。この梱包箱５は、開口面Ａを閉止する外フラップ５ａ，５ｂと、内フラップ５ｃ，５ｄとを備え、各フラップは、全フラップを閉止した状態で部分的に開口窓Ｂが形成されるような形状に構成されている。この開口窓Ｂを通して箱の外部から箱内の照明器具１を視認出来るようにしている。そしてまた、フラップを閉止する前に、板状の略透明部材６を外フラップ５ａ，５ｂと、内フラップ５ｃ，５ｄとの間に挿入しておき、この略透明部材６で開口窓Ｂを覆うようにしている。これにより、略透明部材６を通して箱内の照明器具１を視認できると共に、梱包箱５の内部に異物の混入や塵埃の侵入を防止し、被梱包物である照明器具１の汚れを防止している。略透明部材６としてポリエチレンシートを使用する場合には、内フラップ５ｃ，５ｄの外面にポリエチレンシートをテープ止めした後、外フラップ５ａ，５ｂを閉じて透明テープで外フラップを押さえるようにすると良い。
【０００８】
また、上記開口面Ａを立方体の梱包箱５の面の中で面積の少ない側面に設けことにより、梱包箱５の強度低下が少なくなるので、梱包箱５が倉庫などに積段され保菅されるような場合でも何ら支障がなくなると同時に、異物・塵埃の侵入防止にもより効果的である。
【０００９】
図３は変形例を示す。ここでは、照明器具１を略透明の部材７で覆い、上記と同等の梱包箱５に梱包する例を示している。略透明の部材７の例として、透明の樹脂製の袋が代表的である。このような構成とすることで、開口窓Ｂからの塵埃に対してより効果的であると共に、照明器具１の本体部２とカバー３との一体化にも効果的である。
【００１０】
図４、図５は、第２の実施形態を示す。この梱包箱５は、被梱包物である照明器具１が収納された状態でカバー３に対向する面（ここでは、上面）のフラップ５ａ，５ｂ，５ｃ，５ｄによる開口窓Ｂが形成されるように構成したものである。照明器具１は略透明の部材７で覆い、かつ、板状の略透明部材６で開口面を覆う。カバー３の一部には印刷などによりデザイン上の装飾模様３ａが設けられており、この面が箱の外部から開口窓Ｂを通して視認できるようにしている。
【００１１】
この構成を取ることで、照明器具１のカバー３に装飾模様３ａが有るような特殊な場合に、梱包箱５の外から被梱包物のデザインを視認することができる。
【００１２】
図６は、第３の実施形態を示す。この実施形態では、梱包箱５に収納される被梱包物たる照明器具１の略全周囲にパッド９が装着され、このパッド９は梱包箱５のフラップ５ａ，５ｂ，５ｃ，５ｄによる開口窓に対応する位置に被梱包物を視認可能にするための切り欠き部Ｃを持つ。なお、照明器具１は略透明の部材７により覆った状態でパッド９が宛がわれて梱包される。梱包に際して、パッド９の切り欠き部Ｃが、開口窓と対向するようにする。
【００１３】
この構成を取ることで、積段時の荷重に対する強度が更に向上すると同時に、照明器具１とパッド９とを一体化すれば、梱包箱５への収納も容易となる。梱包物をパッドで囲む方法は、図４、図５に示したような照明器具のカバー面が開口窓に対向する実施形態にも有効である。
【００１４】
本発明は、上記実施形態の構成に限られず、種々の変形が可能であり、例えば、被梱包物としては照明器具の他に、各種の器具類が挙げられ、また、梱包箱としても各種形状に適用可能である。
【図面の簡単な説明】
【００１５】
【図１】本発明の第１の実施形態に係る被梱包物と梱包箱の斜視図。
【図２】同上の梱包状態を示す斜視図。
【図３】変形例を示す斜視図。
【図４】本発明の第２の実施形態に係る被梱包物と梱包箱の斜視図。
【図５】同上の梱包状態を示す斜視図。
【図６】本発明の第３の実施例に係る被梱包物と梱包箱の斜視図。
【図７】従来例の梱包箱を示す斜視図。
【符号の説明】
【００１６】
１  照明器具
３  照明器具のカバー
５  梱包箱
５ａ，５ｂ，５ｃ，５ｄ  フラップ
６  板状の略透明部材
９  パッド
Ａ  開口面
Ｂ  開口窓
Ｃ  パッドの切り欠き部
【図１】
2005153930.tif 000003
【図２】
2005153930.tif 000004
【図３】
2005153930.tif 000005
【図４】
2005153930.tif 000006
【図５】
2005153930.tif 000007
【図６】
2005153930.tif 000008
【図７】
2005153930.tif 000009